(57)【特許請求の範囲】
【請求項１】
給紙された用紙に画像を形成する作像手段と、
前記作像手段により作像された用紙を束ねて綴じるステープル手段と、
入力された画像情報に応じて前記作像手段によって作像させ、所定個所で前記ステープル手段による綴じ動作を行わせる制御手段と、
を備えた画像形成システムにおいて、
前記制御手段は、サイズの異なる用紙が混在し、前記用紙のうち大サイズの用紙の短辺と小サイズの用紙の長辺の長さが用紙の搬送方向と直交する方向で一致し、これらの用紙を束ね、綴じて開いたときに全ての用紙の画像の方向が同じになる組み合わせの場合以外は、前記綴じ動作を行わせないことを特徴とする画像形成システム。
【請求項２】
給紙された用紙に画像を形成する作像手段と、
前記作像手段により作像された用紙を束ねて綴じるステープル手段と、
入力された画像情報に応じて前記作像手段によって作像させ、所定個所で前記ステープル手段による綴じ動作を行わせる制御手段と、
を備えた画像形成システムにおいて、
前記制御手段は、サイズの異なる用紙が混在し、前記用紙のうち大サイズの用紙の短辺と小サイズの用紙の長辺の長さが用紙の搬送方向と直交する方向で一致し、小サイズの用紙では長辺を上下方向として、大サイズの用紙では短辺を上下方向としてそれぞれ画像が形成されている場合、および小サイズの用紙では短辺を上下方向として、大サイズの用紙では長辺を上下方向としてそれぞれ画像が形成されている場合に２個所綴じが指定されたときには、重ねられた大サイズの用紙の短辺側と小サイズの用紙の長辺側の２個所での綴じ以外は、前記綴じ動作を行わせないことを特徴とする画像形成システム。
【請求項３】
給紙された用紙に画像を形成する作像手段と、
前記作像手段により作像された用紙を束ねて綴じるステープル手段と、
入力された画像情報に応じて前記作像手段によって作像させ、所定個所で前記ステープル手段による綴じ動作を行わせる制御手段と、
を備えた画像形成システムにおいて、
前記制御手段は、サイズの異なる用紙が混在し、前記用紙のうち大サイズの用紙の短辺と小サイズの用紙の長辺の長さが用紙の搬送方向と直交する方向で一致し、小サイズの用紙では長辺を上下方向として、大サイズの用紙では短辺を上下方向としてそれぞれ画像が形成されている場合に、画像の方向に対して上側の辺を重ねて形成された用紙束に対して画像の方向を基準に右上斜め綴じ、左上水平綴じ、右上水平綴じのいずれかの綴じが指定されたとき以外は、前記綴じ動作を行わせないことを特徴とする画像形成システム。
【請求項４】
給紙された用紙に画像を形成する作像手段と、
前記作像手段により作像された用紙を束ねて綴じるステープル手段と、
入力された画像情報に応じて前記作像手段によって作像させ、所定個所で前記ステープル手段による綴じ動作を行わせる制御手段と、
を備えた画像形成システムにおいて、
前記制御手段は、サイズの異なる用紙が混在し、前記用紙のうち大サイズの用紙の短辺と小サイズの用紙の長辺の長さが用紙の搬送方向と直交する方向で一致し、小サイズの用紙では長辺方向を上下方向として、大サイズの用紙では短辺方向を上下方向としてそれぞれ画像が形成されている場合に、画像の方向に対して上側の辺を重ねて形成された用紙束に対して左上斜め綴じ、左２個所綴じ、右２個所綴じのいずれかの綴じが指定されたときには、前記指定にかかわらず前記綴じ動作を行わせないことを特徴とする画像形成システム。
【請求項５】
給紙された用紙に画像を形成する作像手段と、
前記作像手段により作像された用紙を束ねて綴じるステープル手段と、
入力された画像情報に応じて前記作像手段によって作像させ、所定個所で前記ステープル手段による綴じ動作を行わせる制御手段と、
を備えた画像形成システムにおいて、
前記制御手段は、サイズの異なる用紙が混在し、前記用紙のうち大サイズの用紙の短辺と小サイズの用紙の長辺の長さが用紙の搬送方向と直交する方向で一致し、小サイズの用紙では短辺方向を上下方向として、大サイズの用紙では長辺方向を上下方向としてそれぞれ画像が形成されている場合に、画像の方向に対して左側の辺を重ねて形成された用紙束に対して左上斜め綴じ、左２個所綴じ、左上垂直綴じのいずれかの綴じが指定されたとき以外は、前記綴じ動作を行わせないことを特徴とする画像形成システム。
【請求項６】
給紙された用紙に画像を形成する作像手段と、
前記作像手段により作像された用紙を束ねて綴じるステープル手段と、
入力された画像情報に応じて前記作像手段によって作像させ、所定個所で前記ステープル手段による綴じ動作を行わせる制御手段と、
を備えた画像形成システムにおいて、
前記制御手段は、サイズの異なる用紙が混在し、前記用紙のうち大サイズの用紙の短辺と小サイズの用紙の長辺の長さが用紙の搬送方向と直交する方向で一致し、小サイズの用紙では短辺方向を上下方向として、大サイズの用紙では長辺方向を上下方向としてそれぞれ画像が形成されている場合に、画像の方向に対して左側の辺を重ねて形成された用紙束に対して右上斜め綴じ、上２個所綴じのいずれかの綴じが指定されたときには、前記指定にかかわらず前記綴じ動作を行わせないことを特徴とする画像形成システム。
【発明の詳細な説明】
【０００１】
【発明の属する技術分野】
この発明は、ステープルなどの用紙処理を行う用紙処理部と、画像を形成する画像形成部とが一体あるいは別体でシステム構成され、画像を形成した用紙に対して、ステープルを行って排紙する画像形成システムに係り、特に、画像形成部としてプリンタ、マルチ機能を有する複写機、あるいはファクシミリなどを使用し、用紙処理部としては、ステープルに加え、パンチ、ソートなどの各種の後処理を行う用紙処理装置を備えた画像形成システムに関する。
【０００２】
【従来の技術】
デジタル複写機やプリンタ装置において、例えば特開平９−２６１４１５号公報に示されているように、画像が転写されて搬送された記録紙の上下や左右に１個所または２個所あるいはコーナ部の１か所を綴じるステープル機能と、搬送された紙の後端に対し穴を開けるパンチ機能を持つものが使用されている。特開平９−２６１４１５号公報に開示された画像形成装置は、複写する画像の文字列方向を判別して適切な回転処理をして、一定の方向に揃った記録紙のステープル処理を行うようにしている。
【０００３】
【発明が解決しようとする課題】
ホストコンピュータで作成した文書をプリンタ装置で印刷する場合、一般にユーザはプリンタ装置の給紙トレイにどのサイズの記録紙がどの方向にセットされているかを意識しないで印刷する。特に、近年はネットワーク環境で印刷する場合も多く、近くにプリンタ装置が無い場合も多いので、プリンタ装置の給紙トレイの記録紙の状態を意識しないで印刷する場合が多い。また、給紙トレイに各種の紙を置いて、その特性をプリンタ装置側に記憶させることにより、より高度なペーパーハンドリングが求められるようになっている。
【０００４】
このような環境で、ステープル機能やパンチ機能などの後処理装置が付いたプリンタ装置を使って、ステープル機能等を指定して印刷させると、プリンタ装置では指定されたままに紙綴じを行うことになる。このため、場合によってはユーザの意図しない方向にステープルされることがあり得る。また、アプリケーション起動中にある文書でステープル、パンチを指定して印刷した後に、同じアプリケーション内で別の文書をドライバの設定変更なしに印刷させると、場合によっては先の設定が生きたまま意図しない方法で後処理が行われることがある。ましてやサイズ混載でステープルを許可する場合は適切な制御を行わないと、綴じた後の用紙の画像方向が揃わず見にくくなってしまう。
【０００５】
この発明はかかる不具合を解消し、画像が転写された記録紙のサイズ、印刷方向、綴じ指定位置に対応して適切なステープル処理を実行することができる画像形成システムを提供することにある。
【０００６】
【課題を解決するための手段】
前記目的を達成するため、第１の手段は、給紙された用紙に画像を形成する作像手段と、前記作像手段により作像された用紙を束ねて綴じるステープル手段と、入力された画像情報に応じて前記作像手段によって作像させ、所定個所で前記ステープル手段による綴じ動作を行わせる制御手段とを備えた画像形成システムにおいて、前記制御手段は、サイズの異なる用紙が混在し、前記用紙のうち大サイズの用紙の短辺と小サイズの用紙の長辺の長さが用紙の搬送方向と直交する方向で一致し、用紙束を綴じて開いたときに全ての用紙の画像の方向が同じになる組み合わせの場合以外は、前記綴じ動作を行わせないことを特徴とする。
【０００７】
このように構成すると、綴じた用紙束を見開いた時に全ての画像の方向が同一の場合のみ綴じが行われるので、見やすいようにステープルすることができる。
【０００８】
第２の手段は、第１の手段と同様の前提の画像形成システムにおいて、前記制御手段は、サイズの異なる用紙が混在し、前記用紙のうち大サイズの用紙の短辺と小サイズの用紙の長辺の長さが用紙の搬送方向と直交する方向で一致し、小サイズの用紙では長辺を上下方向として、大サイズの用紙では短辺を上下方向としてそれぞれ画像が形成されている場合、および小サイズの用紙では短辺を上下方向として、大サイズの用紙では長辺を上下方向としてそれぞれ画像が形成されている場合に２個所綴じが指定されたときには、重ねられた大サイズの用紙の短辺側と小サイズの用紙の長辺側の２個所での綴じ以外は、前記綴じ動作を行わせないことを特徴とする。
【０００９】
このように構成すると、大サイズの用紙の短辺と小サイズの用紙の長辺の長さが用紙の搬送方向と直交する方向で一致するという条件のもとで、小サイズの用紙のランドスケープと大サイズの用紙のポートレートとの組み合わせ、またはＡ４サイズのポートレートとＡ３サイズのランドスケープの組み合わせについては、前記ステープル手段による綴じが行われるので、見開いた時に見やすいようにステープルすることができる。
【００１０】
第３の手段は、第１の手段と同様の前提の画像形成システムにおいて、前記制御手段は、サイズの異なる用紙が混在し、前記用紙のうち大サイズの用紙の短辺と小サイズの用紙の長辺の長さが用紙の搬送方向と直交する方向で一致し、小サイズの用紙では長辺を上下方向として、大サイズの用紙では短辺を上下方向としてそれぞれ画像が形成されている場合に、画像の方向に対して上側の辺を重ねて形成された用紙束に対して画像の方向を基準に右上斜め綴じ、左上水平綴じ、右上水平綴じのいずれかの綴じが指定されたとき以外は、前記綴じ動作を行わせないことを特徴とする。
【００１１】
このように構成すると、大サイズの用紙の短辺と小サイズの用紙の長辺の長さが用紙の搬送方向と直交する方向で一致するという条件のもとで、右上斜め、左上水平、右上水平のいずれかの綴じが指定されたときに、Ａ３ポートレートとＡ４ランドスケープの組み合わせについては、前記ステープル手段による綴じを行わせるので、見開いた時に見やすいように適切にステープルすることができる。
【００１２】
第４の手段は、第１の手段と同様の前提の画像形成システムにおいて、前記制御手段は、サイズの異なる用紙が混在し、前記用紙のうち大サイズの用紙の短辺と小サイズの用紙の長辺の長さが用紙の搬送方向と直交する方向で一致し、小サイズの用紙では長辺方向を上下方向として、大サイズの用紙では短辺方向を上下方向としてそれぞれ画像が形成されている場合に、画像の方向に対して上側の辺を重ねて形成された用紙束に対して左上斜め綴じ、左２個所綴じ、右２個所綴じのいずれかの綴じが指定されたときには、前記指定にかかわらず前記綴じ動作を行わせないことを特徴とする。
【００１３】
このように構成すると、大サイズの用紙の短辺と小サイズの用紙の長辺の長さが用紙の搬送方向と直交する方向で一致するという条件のもとで、左上斜め、左２個所、右２個所のいずれかの綴じが指定されたときに、Ａ３ポートレートとＡ４ランドスケープの組み合わせについては前記ステープル手段による綴じを行わせないようにするので、物理的に不可能な綴じの指定については綴じが実行されることがなく、適切でないステープルが行われるのを未然に防止することができる。
【００１４】
第５の手段は、第１の手段と同様の前提の画像形成システムにおいて、前記制御手段は、サイズの異なる用紙が混在し、前記用紙のうち大サイズの用紙の短辺と小サイズの用紙の長辺の長さが用紙の搬送方向と直交する方向で一致し、小サイズの用紙では短辺方向を上下方向として、大サイズの用紙では長辺方向を上下方向としてそれぞれ画像が形成されている場合に、画像の方向に対して左側の辺を重ねて形成された用紙束に対して左上斜め綴じ、左２個所綴じ、左上垂直綴じのいずれかの綴じが指定されたとき以外は、前記綴じ動作を行わせないことを特徴とする。
【００１５】
このように構成すると、大サイズの用紙の短辺と小サイズの用紙の長辺の長さが用紙の搬送方向と直交する方向で一致するという条件のもとで、左上斜め、左２個所、左上垂直のいずれかの綴じが指定されたときに、Ａ３ランドスケープとＡ４ポートレートの組み合わせについては、前記ステープル手段による綴じを行わせるので、見開いた時に見やすいように適切にステープルすることができる。
【００１６】
第６の手段は、第１の手段と同様の前提の画像形成システムにおいて、前記制御手段は、サイズの異なる用紙が混在し、前記用紙のうち大サイズの用紙の短辺と小サイズの用紙の長辺の長さが用紙の搬送方向と直交する方向で一致し、小サイズの用紙では短辺方向を上下方向として、大サイズの用紙では長辺方向を上下方向としてそれぞれ画像が形成されている場合に、画像の方向に対して左側の辺を重ねて形成された用紙束に対して右上斜め綴じ、上２個所綴じのいずれかの綴じが指定されたときには、前記指定にかかわらず前記綴じ動作を行わせないことを特徴とする。
【００１７】
このように構成すると、大サイズの用紙の短辺と小サイズの用紙の長辺の長さが用紙の搬送方向と直交する方向で一致するという条件のもとで、右上斜め、上２個所のいずれかの綴じが指定されたときに、Ａ３ランドスケープとＡ４ポートレートの組み合わせについては、前記ステープル手段による綴じを行わせないようにするので、物理的に不可能な綴じの指定については綴じが実行されることがなく、適切でないステープルが行われるのを未然に防止することができる。
【００１８】
なお、給紙に際しては、複数の給紙段を備えた給紙部を備え、作像手段はＲＡＭ上に作成された画像データに基づいて作像を行う。ステープル手段は、搬送された用紙の後端に対して手前側から見て、奥斜め、奥垂直、手前、２個所綴じのできる機能を有する。また、作像手段は、ステープル可能が場合に画像データを１８０度回転させる機能も備える。
【００１９】
【発明の実施の形態】
以下、図面を参照して本発明の実施形態について詳細に説明する。
【００２０】
図１は本発明の実施形態に係る画像形成システムの概略構成を示す説明図である。本実施形態に係る画像形成システムは、ホスト装置（以下、「ホストコンピュータ」と称す。）１００とプリンタ２００とからなり、両者は公知の通信手段１５０を介して相互に通信可能に接続されている。なお、ここでは、１台のホストコンピュータ１００とプリンタ２００と通信手段１５０を介してが接続されて状態を図示しているが、ネットワークを介して複数のホストコンピュータとプリンタが接続されたようなシステムでも同様である。また、プリンタ２００には図示しない用紙処理装置としてフィニッシャが付設されている。フィニッシャでは、図２に示すように、ステープル手段は、搬送された用紙の後端に対して手前側から見て、奥く斜め、奥垂直、手前、２個所綴じのできる機能を有する。用紙搬送方向後端部に後述のステープル処理部２２５で綴じ処理あるいはパンチ処理部２２６で孔あけ処理が施される。
【００２１】
図３は図１のシステムの詳細を示すブロック図である。図に示すように、ホストコンピュータ１００から送られた画像データを印刷するプリンタ装置２００はプリンタコントローラ２１０と作像部２２０とを有する。プリンタコントローラ２１０はホストコンピュータ１００から印刷データやコマンドを授受するホストインタフェース２１１と画像作成部２１２とメモリ２１３及び作像部インタフェース２１４を有する。画像作成部２１２は画像データ展開部２１５と後処理判定部２１６を有する。画像データ展開部２１５はホストコンピュータ１００から送られた印刷データを解釈して画像データに展開する。後処理判定部２１６はホストコンピュータ１００から送られたコマンドを解釈し、ステープルとパンチと回転ソートの組合わせが発生しているかどうかを確認し、ステープルの可否と１８０度回転の必要性を判断してステープルやパンチの指示と１８０度回転の指示を行う。メモリ２１３には各種のステープルとパンチパターンに対して適正にステープルやパンチをすることができるか否を示す各種の組合せが格納されている。作像部インタフェース２１４は作像部２２０に画像データを送るとともに作像部２２０との間で各種命令や情報を授受する。
【００２２】
作像部２２０は画像処理主制御部２２１と複数の給紙部２２２ａ〜２２２ｄとプロッタ２２３と排紙部２２４を有する。画像処理主制御部２２１はプリンタコントローラ２１０からの命令を受けてプロッタ２２３の画像形成処理や給紙部２２２ａ〜２２２ｄの給紙処理及び排紙部２２４の排紙処理を制御する。給紙部２２２ａ，２２２ｂの給紙トレイは例えばＡ４サイズ以下の記録紙が横置きと縦置きができるようになっている。プロッタ２２３は同サイズ、例えばＡ４サイズの横置きと縦置きの記録紙を１部ずつ交互に方向を変えて画像形成する回転ソート機能を有し、プリンタコントローラ２１０から送られた画像データを各給紙部２２２ａ〜２２２ｄから給紙される記録紙に転写する。排紙部２２４はステープル処理部２２５とパンチ処理部２２６を有する。ステープル処理部２２５はプロッタ２２３で画像が転写されて搬送された記録紙の１個所または２個所を綴じるステープルを行い、パンチ処理部２２６は搬送された記録紙の後端に対し穴を開けるパンチを行う。なお、排紙部２２４はフィニッシャとして独立させ、プリンタ２００に付設してもよい。
【００２３】
このステープル処理部２２５でステープルするパターンは、図４に示すように、画像が転写された記録紙２３０の左右の上下２個所の位置を１個所ずつステープルするパターン１、３、１１、９と、上下の左右２個所の位置を１個所ずつステープルするパターン１５、１３、５、７と、各コーナの位置を１個所ずつステープルするパターン０、４、８、１２と、左側の上下２個所を同時ステープルするパターン２と、右側の上下２個所を同時ステープルするパターン１０と、上側の２個所を同時ステープルするパターン１４と、下側の２個所を同時ステープルするパターン６との１６通りある。パンチは２個所を同時にステープルする場合と同じである。
【００２４】
このステープルする位置を定めるステープルパターン０〜１５に対して、指定された印刷方向（ポートレイト、ランドスケイプ）と紙サイズと給紙方向で適正にステープルやパンチをすることができるか否を示す各種の組合せを図５ないし図８に示す。図５ないし図８において、「解除」は目的の方向にステープルが物理的に不可能であるからステープルを解除することを示し、「０／１８０」は目的の方向にステープルするために記録紙２３０を回転させる回転角を示し、「解除綴じ」は両面印刷の綴じ方向とステープルの綴じ方向に矛盾がある組合せであるためステープルを解除することを示す。この図５ないし図８に示すパターンと印刷方向（ポートレイト、ランドスケイプ）と紙サイズと給紙方向に対するステープルパラメータがルックアップテーブル２１７ａ〜２１７ｄとしてプリンタコントローラ２１０のメモリ２１３にあらかじめ格納してある。
【００２５】
なお、ポートレイトとは肖像画のように記録紙の短辺を上下方向（縦長方向）として画像が形成（印刷）される印刷方向をいい、ランドスケイプとは風景画のように記録紙の長辺を上下方向（横長方向）として画像が形成（印刷）される印刷方向をいう。
【００２６】
上記のように構成されたプリンタ装置２００でホストコンピュータ１００から送られた印刷データを印刷するときの動作を図９のフローチャートを参照して説明する。
【００２７】
ユーザがホストコンピュータ１００で文書や図を作成して印刷指示を行うと、ホストコンピュータ１００のプリンタドライバが起動され印刷の設定処理に入る（ステップＳ１）。この印刷の設定処理でユーザがアプリケーションまたはプリンタドライバの設定で、印刷方向（ポートレイト・ランドスケイプ）、紙サイズ、ステープル個所やパンチ個所、綴じ方向を含む両面印刷可否等の印刷条件や後処理条件を指定すると、プリンタドライバは設定された情報と文書情報を基に印刷データと印刷条件や後処理条件のコマンドを生成する（ステップＳ２）。ホストコンピュータ１００は生成した印刷データとコマンドをプリンタインタフェースを介してプリンタ装置２００に転送する（ステップＳ３）。プリンタ装置２００のホストインタフェース２１１は転送された印刷データとコマンドを受信して画像作成部２１２に送る（ステップＳ４）。
【００２８】
画像作成部２１２の画像データ展開部２１５は送られてきた印刷データを解釈して画像データに展開する（ステップＳ５）。その際、例えばステープルパターンの番号の割り付けを図４に示したようにする。パンチのパターンは２個所綴じの個所と同じになるが、例えば、番号の割り付けをステープルパターン「２」の個所を「０」として、反時計回りに「１／２／３」とする。また、後処理判定部２１６は送られてきたコマンドを解釈し、コマンドに指定されている後処理条件、例えばステープルパターンと、メモリ２１３に格納された図５ないし図８に示すルックアップテーブル２１７ａ〜２１７ｄの印刷方向、指定サイズ、ステープル個所とパターン、両面指定と綴じ方向及び実際に作像部２２０の給紙部２２２ａ〜２２２ｄの給紙トレイに設定されている記録紙２３０などの情報の組み合わせとを比較し、ステープルとパンチの可否、および１８０度回転の必要性を判断する（ステップＳ６）。更に、１つのジョブ、この場合には、ホストコンピュータ１００から指示された１つのまとまったプリント出力に、サイズの異なる用紙に対するプリントが指示されているか（サイズ混載）かどうかをチェックし、更に、サイズ混載の用紙を１つの用紙束として後処理可能かどうかを判定する（ステップＳ７）。この判定で後処理可能であると判定された場合、ステープルまたはパンチが可能であれば、ステープルまたはパンチの設定を行い、１８０度回転する必要がある場合には１８０度回転や両面の指示、およびパターン（機械的には前述の図５ないし図８に示した４パターン）とパンチする／しないの指示を行う。なお、１８０度回転は、画像作成部２１２で行われる。一方、ステップＳ７で混載可能なパターンでないと判定された場合には、ステープルおよびパンチの設定を解除する（ステップＳ９）。
【００２９】
この動作（ステップＳ５からステップＳ９までの動作）を頁データの全てが終了するまで繰り返し（ステップＳ１０）、一連の設定処理が終了すると、画像作成部２１２で作成された電子的な画像は作像部Ｉ／Ｆ２１４を介して画像処理主制御部２２１に送出される（ステップＳ１１，Ｓ１２，Ｓ１５）。画像処理主制御部２２１は送られた画像データによりプロッタ２２３で画像を形成させ、給紙部２２２から送られる記録紙に印刷させる（ステップＳ１６，Ｓ１７）。そして、全ての頁の画像データを印刷し（ステップＳ１１でＹｅｓ）、画像処理主制御部２２１は送られた処理条件でステープルあるいはパンチが設定されているときは（ステップＳ１３，Ｓ１４）、その設定された処理条件で排紙部２２４のステープル処理部２２５やパンチ処理部２２６によりステープルあるいはパンチを実行させてから排紙する（ステップＳ１８，Ｓ１９）。
【００３０】
ステップＳ８におけるステープルの設定については、図１０（ａ）ないし（ｄ）に示すように、用紙サイズの系列は同じであるが異サイズで、エッジ長ＥＤが同じ用紙の組み合わせ、すなわち、大サイズの用紙の短辺（ショートエッジ）と小サイズの用紙の長辺（ロングエッジ）の辺の長さ（エッジ長）ＥＤが同じ用紙の組み合わせであって、大サイズの用紙の短辺側を用紙搬送方向に直交するようにして搬送する例えばＡ３ショートエッジフィード（Ａ３縦送り）と、小サイズの用紙の長辺側を用紙搬送方向に直交するようにして搬送する例えばＡ４ロングエッジフィード（Ａ４横送り）の場合には、
▲１▼右上斜め：図１０（ａ）（図５Ａ１、図８Ａ２−ステープルパラメータ１２）
▲２▼上２個所：図１０（ｂ）（図５Ｂ１、図８Ｂ２−ステープルパラメータ１４）
▲３▼左上水平：図１０（ｃ）（図５Ｃ１、図８Ｃ２−ステープルパラメータ１５）
▲４▼右上水平：図１０（ｄ）（図５Ｄ１、図８Ｄ２−ステープルパラメータ１３）
の各綴じ個所が指定されたときには、Ａ３ポートレートショートエッジ（Ａ３縦長短辺）とＡ４ランドスケイプロングエッジ（Ａ４横長長辺）のサイズ混載綴じを許可する。なお、前記▲１▼（図１０（ａ））、▲３▼（図１０（ｃ））および▲４▼（図１０（ｄ））は請求項３に対応し、▲２▼（図１０（ｂ））は請求項２に対応する。
【００３１】
また、大サイズの用紙の短辺（ショートエッジ）と小サイズの用紙の長辺（ロングエッジ）の辺の長さ（エッジ長）ＥＤが同じ用紙の組み合わせであって、大サイズの用紙の短辺側を用紙搬送方向に直交するようにして搬送する前記Ａ３ショートエッジフィード（Ａ３縦送り）と小サイズの用紙の長辺側を用紙搬送方向に直交するようにして搬送するＡ４ロングエッジフィード（Ａ４横送り）の場合には、
▲１▼左上斜め：図１１（ａ）（図６Ｅ１、図７Ｅ２−ステープルパラメータ０）
▲２▼左２個所：図１１（ｂ）（図６Ｆ１、図７Ｆ２−ステープルパラメータ２）
▲３▼左上垂直：図１１（ｃ）（図６Ｇ１、図７Ｇ２−ステープルパラメータ１）
の各綴じ個所が指定されたときには、Ａ３ランドスケープショートエッジ（Ａ３横長短辺送り）とＡ４ポートレートロングエッジ（Ａ４縦長長辺送り）のサイズ混載綴じを許可する。なお、前記▲１▼（図１１（ａ））、▲２▼（図１１（ｂ））および▲３▼（図１１（ｃ））は請求項５に対応し、▲２▼（図１１（ｂ））は請求項２にも対応する。
【００３２】
一方、大サイズの用紙の短辺（ショートエッジ）と小サイズの用紙の長辺（ロングエッジ）の辺の長さ（エッジ長）ＥＤが同じ用紙の組み合わせであって、大サイズの用紙の短辺側を用紙搬送方向に直交するようにして搬送する前記Ａ３ショートエッジフィード（Ａ３縦送り）と小サイズの用紙の長辺側を用紙搬送方向に直交するようにして搬送するＡ４ロングエッジフィード（Ａ４横送り）の場合には、
▲１▼左上斜め：（図５Ｈ１、図８Ｈ２−ステープルパラメータ０）
▲２▼左２個所：（図５Ｉ１、図８Ｉ２−ステープルパラメータ２）
▲３▼右２個所：（図５Ｊ１、図８Ｊ２−ステープルパラメータ１０）
の各綴じ個所が指定されたときには、Ａ３ポートレートショートエッジ（Ａ３縦長短辺送り）とＡ４ランドスケイプロングエッジ（Ａ４横長長辺送り）のサイズ混載綴じを許可しない。なお、前記▲１▼（図５Ｈ１、図８Ｈ２の組み合わせ）、▲２▼（図５Ｉ１、図８Ｉ２の組み合わせ）および▲３▼（図５Ｊ１、図８Ｊ２の組み合わせ）は請求項４に対応する。
【００３３】
さらに、大サイズの用紙の短辺（ショートエッジ）と小サイズの用紙の長辺（ロングエッジ）の辺の長さ（エッジ長）ＥＤが同じ用紙の組み合わせであって、大サイズの用紙の短辺側を用紙搬送方向に直交するようにして搬送する前記Ａ３ショートエッジフィード（Ａ３縦送り）と小サイズの用紙の長辺側を用紙搬送方向に直交するようにして搬送するＡ４ロングエッジフィード（Ａ４横送り）の場合には、
▲１▼右上斜め：（図６Ｋ１、図７Ｋ２−ステープルパラメータ１２）
▲２▼上２個所：（図６Ｌ１、図７Ｌ２−ステープルパラメータ１４）
の各綴じ個所が指定されたときには、Ａ３ランドスケイプトショートエッジ（Ａ３横長短辺送り）とＡ４ポートレイトロングエッジ（Ａ４縦長長辺送り）のサイズ混載綴じを許可しない。なお、前記▲１▼（図６Ｋ１、図７Ｋ２の組み合わせ）および▲２▼（図６Ｌ１、図７Ｌ２の組み合わせ）は請求項６に対応する。
【００３４】
また、請求項１は図１０および図１１の全ての場合に対応する。
【００３５】
なお、上記説明では、大サイズの用紙および小サイズの用紙としてそれぞれＪＩＳ規格でＡ３サイズとＡ４サイズの用紙を例示しているが、大サイズの用紙と小サイズの用紙とが、大サイズの用紙の短辺と小サイズの用紙の長辺との長さが一致する組み合わせの全てに適用できる。このような例としてＪＩＳ規格では前記Ａ系列の用紙サイズの他にＢ系列の用紙サイズの関係にある用紙や、レターサイズとダブルレターサイズの用紙がある。
【００３６】
【発明の効果】
以上説明したように、本発明によれば、サイズの異なる用紙が混在し、前記用紙のうち大サイズの用紙の短辺と小サイズの用紙の長辺の長さが用紙の搬送方向と直交する方向で一致し、用紙束を綴じて開いたときに全ての用紙の画像の方向が同じになる組み合わせの場合に綴じを行わせ、それ以外の場合には、綴じを行わせないので、画像が転写された記録紙のサイズ、印刷方向、綴じ指定位置に対応して適切なステープル処理を実行することができ、これにより、見開いた時に見やすい場合のみステープルすることが可能となる。
【図面の簡単な説明】
【図１】本発明の実施形態に係る画像形成システムのシステム構成を示すブロック図である。
【図２】用紙に対するステープル位置とパンチ位置との関係を示す図である。
【図３】図１のシステムの詳細を示すブロック図である。
【図４】ステープルの位置を示すパターンとパラメータとを示す図である。
【図５】適正にステープルできるか否を示す第１の組合せを示す図である。
【図６】適正にステープルできるか否を示す第２の組合せを示す図である。
【図７】適正にステープルできるか否を示す第３の組合せを示す図である。
【図８】適正にステープルできるか否を示す第４の組合せを示す図である。
【図９】本発明の実施形態の動作を示すフローチャートである。
【図１０】本発明の実施形態で実行されるサイズ混載で綴じ可能な組み合わせの一例を示す図である。
【図１１】本発明の実施形態で実行されるサイズ混載で綴じ可能な組み合わせの他の例を示す図である。
【符号の説明】
１００  ホストコンピュータ
１５０  通信手段
２００  プリンタ装置
２１０  プリンタコントローラ
２１１  ホストインタフェース
２１２  画像作成部
２１３  メモリ
２１４  作像部インタフェース
２１５  画像データ展開部
２１６  後処理判定部
２２０  作像部
２２１  画像処理主制御部
２２２  給紙部
２２３  プロッタ
２２４  排紙部
２２５  ステープル処理部
【図１】
0003824918.tif 000002
【図２】
0003824918.tif 000003
【図３】
0003824918.tif 000004
【図４】
0003824918.tif 000005
【図５】
0003824918.tif 000006
【図６】
0003824918.tif 000007
【図７】
0003824918.tif 000008
【図８】
0003824918.tif 000009
【図９】
0003824918.tif 000010
【図１０】
0003824918.tif 000011
【図１１】
0003824918.tif 000012